(57)【要約】【課題】従来の抜け止め構造では、ケーブルの先端にコネクタが設けられていることを前提としており、金具はコネクタが外れることを防止するものである。従って、金具はケーブルを締め付けていないので、ケーブルを強く引っ張ると、ケーブルがコネクタから外れる恐れがある。特に、コネクタを用いず、電気製品側に端子台を設け、ケーブルの電線部分をこの端子台に直接接続するタイプのものでは、ケーブルを強く引っ張ることによって、ケーブルが端子台から外れる恐れが生じる。【解決手段】端子台を後方から覆うカバーを設け、そのカバーに上記ケーブルが挿通される開口を形成し、その開口の周縁の少なくとも一部に、開口を狭める方向に弾性変形可能な保持片を設け、この保持片によってケーブルを挟んでケーブルが上記端子台から外れることを防止する。【選択図】  図４
2019087412.tif 000002
【特許請求の範囲】
【請求項１】
壁面に取り付けられる照明装置であって、外部からの電力供給用のケーブルが接続される端子台を有し、この端子台に対して上記ケーブルが背面側から配線されるものにおいて、上記端子台を後方から覆うカバーを設け、そのカバーに上記ケーブルが挿通される開口を形成し、その開口の周縁の少なくとも一部に、開口を狭める方向に弾性変形可能な保持片を設け、この保持片によってケーブルを挟んでケーブルが上記端子台から外れることを防止するようにしたことを特徴とする壁付け型照明装置。
【請求項２】
上記カバーは、上記の壁面に対向する底面と、その底面から前方に伸びる側面とを備え、上記開口は、この底面の周縁に接して形成され、上記保持片は、上記側面に形成されていることを特徴とする請求項１に記載の壁付け型照明装置。
【請求項３】
上記保持片のケーブルに当接する部分に、ケーブルの被覆に食い込む抜け止め用の突起を形成したことを特徴とする請求項１または請求項２に記載の壁付け型照明装置。
【発明の詳細な説明】
【技術分野】
【０００１】
本発明は、壁面に取り付けられ、外部から電力の供給を受けるためのケーブルが後面に接続される壁付け型照明装置に関する。
【背景技術】
【０００２】
照明器具やその他の電気製品には、外部からの電力の供給を受けるためのケーブルが配信される場合がある。そのケーブルの先端にコネクタが設けられている場合には、そのコネクタが電気製品から外れないように、２枚の板金製の金具でケーブルを挟み、コネクタが抜け方向に移動しようとすると、コネクタがこの金具に当接してコネクタが電気製品から外れることを防止するようにした抜け止め構造が知られている（例えば、特許文献１参照）。
【先行技術文献】
【特許文献】
【０００３】
【特許文献１】特許第３３８６３１９号公報（図１）
【発明の概要】
【発明が解決しようとする課題】
【０００４】
上記従来の抜け止め構造では、ケーブルの先端にコネクタが設けられていることを前提としており、金具はあくまでコネクタが外れることを防止するものである。従って、金具はケーブルを締め付けていないので、ケーブルを強く引っ張ると、ケーブルがコネクタから外れる恐れがある。特に、コネクタを用いず、電気製品側に端子台を設け、ケーブルの電線部分をこの端子台に直接接続するタイプのものでは、ケーブルを強く引っ張ることによって、ケーブルが端子台から外れる恐れが生じる。
【０００５】
そこで本発明は、上記の問題点に鑑み、ケーブルに対して抜け方向の力が作用しても、ケーブルが外れることのない壁付け型照明装置を提供することを課題とする。
【課題を解決するための手段】
【０００６】
上記課題を解決するために本発明による壁付け型照明装置は、壁面に取り付けられる照明装置であって、外部からの電力供給用のケーブルが接続される端子台を有し、この端子台に対して上記ケーブルが背面側から配線されるものにおいて、上記端子台を後方から覆うカバーを設け、そのカバーに上記ケーブルが挿通される開口を形成し、その開口の周縁の少なくとも一部に、開口を狭める方向に弾性変形可能な保持片を設け、この保持片によってケーブルを挟んでケーブルが上記端子台から外れることを防止するようにしたことを特徴とする。
【０００７】
上記保持片によってケーブルを挟むことによって、ケーブルは上記カバーに保持されるので、ケーブルに対して外れる方向の力が作用しても、その力はカバーで受けられ、端子台に及ぶことがない。
【０００８】
具体的には、上記カバーは、上記の壁面に対向する底面と、その底面から前方に伸びる側面とを備え、上記開口は、この底面の周縁に接して形成され、上記保持片は、上記側面に形成される構成が考えられる。
【０００９】
なお、上記保持片のケーブルに当接する部分に、ケーブルの被覆に食い込む抜け止め用の突起を形成すれば、さらに抜け止め効果を期待することができる。
【発明の効果】
【００１０】
以上の説明から明らかなように、本発明は、端子台を覆うカバーでケーブルを挟んで保持するので、ケーブルに対して抜け方向の力が作用しても、その力は端子台に作用しないので、ケーブルが端子台から外れることを防止することができる。
【図面の簡単な説明】
【００１１】
【図１】照明器具の正面を示す斜視図
【図２】照明器具の背面を示す斜視図
【図３】カバーを外した状態を示す斜視図
【図４】カバーの形状を示す縦断面図
【図５】保持片の形状を示すV-V断面図
【発明を実施するための形態】
【００１２】
図１を参照して、１は本発明による壁付け型照明装置の一例である。この照明装置１は、壁面Ｗに固定されている。
【００１３】
図２を参照して、本図は照明装置１を壁面Ｗに固定する前の状態の裏面を示している。この照明装置１の裏面には、外部からの低圧配電用ケーブルの一例である例えばＶＶＦと呼ばれるケーブル２が接続されている。このケーブル２は図３に示す端子台６に接続されている。この端子台６は樹脂製のカバー５によって覆われている。３はブラケットであり、このブラケット３には、照明装置１が壁面Ｗに固定された状態で、壁面Ｗの表面を伝って流れ落ちてくる水などが端子台６に及ばないように、環状のパッキン４が保持されている。
【００１４】
このカバー５は、四角形の底面５１と、その底面５１から前方に伸びる４面の側面５２とから構成されている。底面５１の周縁５１ａに接するように、上記ケーブル２が挿通される開口５３が形成されている。そして、この開口５３の一辺を形成するように保持片５４が側面５２に形成されている。
【００１５】
この保持片５４は図５に示すように、側面５２に形成された一対のスリット５５に挟まれており、ケーブル２を開口５３に挿通した状態で保持片５４がケーブル２によって外側に弾性変形されると、その弾性力が復元力として反作用して、保持片５４は、ケーブル２を挟む方向に常に付勢することになる。
【００１６】
この保持片５４には、突起５４ａが設けられており、保持片５４がケーブル２の被覆に当接すると、この突起５４ａがケーブル２の被覆に食い込み、ケーブル２が外側に引っ張られても、ケーブル２が抜けないように構成されている。また、開口５３の内周面のうち、この保持片５４に対向する位置には、同じく突起５３ａが設けられており、上記突起５４ａと同じくこの突起５３ａがケーブル２の被覆に食い込み、同じくケーブル２が外側に引っ張られた際に、ケーブル２が抜けないように作用する。
【００１７】
なお、このカバー５は照明装置１に固定されているので、ケーブル２に対して外側に引っ張られる力が作用しても、その力は、このカバー５から照明装置１本体に伝わり、端子台６には作用しない。したがって、ケーブル２が外側に引っ張られても、その力は端子台６には作用しないので、ケーブル２が端子台６から外れることはない。
【００１８】
なお、本発明は上記した形態に限定されるものではなく、本発明の要旨を逸脱しない範囲内において種々の変更を加えてもかまわない。
【符号の説明】
【００１９】
１  照明装置
２  ケーブル
３  ブラケット
４  パッキン
５  カバー
６  端子台
５３  開口
５４  保持片
Ｗ  壁面
【図１】
2019087412.tif 000003
【図２】
2019087412.tif 000004
【図３】
2019087412.tif 000005
【図４】
2019087412.tif 000006
【図５】
2019087412.tif 000007